(57)【要約】      （修正有）【課題】ファッション性が極めて乏しい衛生的なマスクの着用時に、おしゃれ感覚でどんな服装にも美的に対応できるようにする。【解決手段】マスクを装着した状態で耳のそばからマスク本体の表面を覆うことができる通気性部材よりなるカバー部１１と、その上部１２に鼻やマスクにフィットさせるための固定具１３を設け、更にそのカバー部１１を両耳にかけて調整しながら首の後ろで固定させる装着手段１５、１６、１７、１８、とから構成されるスカーフマスクカバーである。更にチョーカー、スカーフ、ケープ等を対として組み合わせ、よりファッション性を高めることができる。【選択図】図２
0003139644.tif 000002
【実用新案登録請求の範囲】
【請求項１】
マスクを装着した状態で、耳のそばからマスク本体の表面を覆うことができる通気性部材よりなるカバー部と、そのカバー部を両耳にかけて調整しながら首の後ろで固定させる装着手段とからなることを特徴とするスカーフマスクカバー。
【請求項２】
マスクを装着した状態で、耳のそばからマスク本体の表面を覆うことができる通気性部材よりなるカバー部と、そのカバー部を両耳にかけて調整しながら首の後ろで固定させる装着手段とからなり、それと対にチョーカー、スカーフ、ケープ等を組み合わせる事を特徴とするスカーフマスクカバー。
【考案の詳細な説明】
【技術分野】
【０００１】  本考案は、風邪をひいた時などに用いられるマスクの着用時に、そのマスクをスカーフ風に覆うファッション製品に関するものである。
【背景技術】
【０００２】  最近では、花粉症や風邪、ウイルスの予防、防塵のためなど、マスクの需要が増している。しかし、機能面では種々改良されているが、無地の白く大きなマスク、更に、両耳に延びる紐など、ファッション性には極めて乏しく、敬遠されがちである。
【考案の開示】
【考案が解決しようとする課題】
【０００３】  従来、マスクが必要な場合でも、ファッション的には違和感があるため、マスク着用への抵抗があつた。また、通常のマスクの型をそのまま飾っても、従来のマスクに対するイメージは払いにくくファッション性を高める効果が乏しい。【０００４】  そこで本考案は、上述するマスクが有する課題を解決するために提案されたもので、各種、衛生的なマスクをファッション的に覆いながら、カジュアルからフォーマルまでの多様なスタイルに、また各年齢層に対応できて、コーディネイトが可能なファッションアイテムを提供しようとするものである。
【課題を解決するため手段】
【０００５】  そこで、上記目的を成すために本考案では、各種、衛生的なマスクを現状の形態をそのまま利用し、そのマスクを美的に損ねている耳ひもまで装飾的に覆う、通気性のある生地に、調整を兼ねた装着具と、鼻やマスクにフィットさせるため、上部に固定具を設けたものである。また、ファッション性を高めるために、生地にレースや色柄のデザインを施し更に、スカーフやチョーカー、ケープ等を組み合わせることにより、種々の服装に対応しコーディネイトの幅を広げたものである。
【考案の効果】
【０００６】  上述のように、本考案のスカーフマスクカバーは、必要な時でも美的に抵抗があったマスクの着用に対し、従来のイメージを払拭し、多様な服装に合ったファッションを楽しめるようになる。また、マスクをしないときでも単独で着用できるもので、独自の美的要素があり、１つのファッションアイテムとして、服装に対応したおしゃれの幅が広がる。それ故、相乗的にファッション性を高め、マスクの抵抗感がなくなり、より広くマスクが使用されるようになる。このため花粉症や肺炎の予防のためのマスク着用が促進され、健康面に効果がある。更に、生地にＵＶカット加工等を施すことにより、顔の紫外線避けとして利用できる。
【考案の実施するための最良の形態】
【０００７】  本考案のマスクを覆うカバー部は、マスクの機能を損なわない通気性のある素材から成り、カバー部の上部の中央には、ワイヤー等の固定部が設けられており、鼻に沿ってフィットさせたり、上部をカバー部の裏にマスクをはさみ込んで折り返し、ずれないようにすることができる。カバー部の左右には耳にかけながら首の後ろで固定し、耳の下の方で調節できるヒモ状の装着具が設けられており、マスク本体とは独立している。よって、多様な服装に応じて、形、デザインを自由に形成でき、マスクを覆うためだけでなく、１つのファッションアイテムとして楽しめ、従来のマスクのイメージも払拭できるものである。
【実施例】
【０００８】  以下、添付図面に従って実施例を説明する。【０００９】  図１の第１形態実施例について説明する。このスカーフマスクカバー１のカバー部１１は、通気性の良いやわらかな布よりなり、顔の眼の下から顎まで全体を覆う大きさに形成される。カバー部１１の上部１２の中央にはタイ状のワイヤ１３を挿入しており、マスクの形によってはそのマスクをはさみ込みながら上部１２を裏面に折り返し、鼻に沿わせてフィットするように形作ることができる。【００１０】  カバー部１１の左右１４には、顔にフィットするようにギャザーまたはダーツを入れて、耳かけの紐１６と首にかける紐１７、ビーズの留め具１８、取り付け部１５からなる調整を兼ねた装着具が逢着される。耳かけの紐１６、首にかける紐１７は留め具１８により長さを調節でき、首にかける紐１７は首の後ろで結んで固定する。耳かけの紐１６と首にかける紐１７は長さの調節が可能なので個人個人に合わせてフィットさせることができる。首の後ろでの固定方法としてはベルトやマジックテープ、ストッパー等でも良い。【００１１】  図３の第２形態実施例について説明する。このスカーフマスクカバー２のカバー部２１は、通気性の良いやわらかな布よりなり、顔の眼の下から首まで下がる大きさに形成され下の部分はレース、フレア状に飾られる。カバー部２１は第１形態実施例と同様に上部の中央にはタイ状のワイヤを挿入しており、マスクの形によってはそのマスクをはさみ込みながら上部を裏面に折り返し、鼻に沿わせてフィットするように形作ることができる。【００１２】  カバー部２１の左右に顔の形にふくらみをもたせる程度にギャザーまたはダーツを入れて、耳かけの紐２６と首にかける紐２７、ビーズの留め具２８、取り付け部２５からなる調整を兼ねた装着具が縫着される。また、生地によってはギャザー等は入れずに縫着しても良い。【００１３】  第２形態実施例のスカーフマスクカバー２は、チョーカー、スカーフ、ケープ等と組合せ、下の部分を顎に沿わせ留めて形作ることもできる。【００１４】  いずれの形態実施例でも、チョーカー、スカーフ、ケープ等と組合せに一対として造ることにより、ファッション的効果をより高めると同時に、特にマスクのイメージを感じさせないものと成る。また、耳かけの紐、首にかける紐、留め具をいろいろな材料、デザインを施すことにより、ネックレスやイヤリング等のアクセサリーのように形成できる。
【図面の簡単な説明】
【００１５】
【図１】本スカーフマスクカバーの第１形態実施例を示す正面図である
【図２】本スカーフマスクカバーの裏面からの分解斜視図である
【図３】本スカーフマスクカバーの第２形態実施例を示す正面図である
【図４】本スカーフマスクカバーの使用例を示した側面図である
【図５】本スカーフマスクカバーの使用例を示した正面図である
【図６】チョーカーと組み合わせた本スカーフマスクカバーの使用例を示した正面図である
【図７】ストールと組み合わせた本スカーフマスクカバーの使用例を示した正面図である
【符号の説明】
【００１６】１、２、スカーフマスクカバー
１１、２１、カバー部
１３、２３、タイ状のワイヤ
１６、２６、耳かけの紐
１７、２７、首にかける紐
１８、２８、ビーズの留め具
【図１】
0003139644.tif 000003
【図２】
0003139644.tif 000004
【図３】
0003139644.tif 000005
【図４】
0003139644.tif 000006
【図５】
0003139644.tif 000007
【図６】
0003139644.tif 000008
【図７】
0003139644.tif 000009